(57)【要約】【課題】      照明器具自体から生じる発熱を少なくすることで、冷凍庫内の温度を上昇させることなく効率よく保冷することができ、さらに、消費電力や材料コストを極端に軽減することができる保冷装置用照明器具を提供すること。【解決手段】  本考案の保冷装置用照明器具は、冷蔵庫、冷凍庫、冷凍車、冷凍ショーケース等に具備される保冷装置用照明器具であって、該保冷装置用照明器具（１）は、先端に凹部（１１）を形成した発光ダイオード（１０）を、透光管（２）内に縦列状態に複数連結したことを特徴とする。また、前記透光管（２）の周囲に外管体（３）を配設させた。また、前記発光ダイオード（１０）は、前記透光管（２）内の中央部分で凹部（１１）が対向する状態に配設されている。さらに、前記発光ダイオード（１０）の凹部（１１）をＶ字状に形成した。【選択図】図１
0003147129.tif 000002
【実用新案登録請求の範囲】
【請求項１】
冷蔵庫、冷凍庫、冷凍車、冷凍ショーケース等に具備される保冷装置用照明器具であって、該保冷装置用照明器具は、先端に凹部を形成した発光ダイオードを、透光管内に縦列状態に複数連結したことを特徴とする保冷装置用照明器具。
【請求項２】
前記透光管の周囲に外管体を配設させた請求項１記載の保冷装置用照明器具。
【請求項３】
前記発光ダイオードは、前記透光管内の中央部分で凹部が対向する状態に配設されている請求項１または２記載の保冷装置用照明器具。
【請求項４】
前記発光ダイオードの凹部をＶ字状に形成した請求項１乃至３のうちいずれか一項に記載の保冷装置用照明器具。
【請求項５】
前記発光ダイオードの凹部を円錐状に形成した請求項１乃至３のうちいずれか一項に記載の保冷装置用照明器具。
【請求項６】
前記発光ダイオードの凹部を角錐状に形成した請求項１乃至３のうちいずれか一項に記載の保冷装置用照明器具。
【請求項７】
前記発光ダイオードの凹部を指数関数面状に形成した請求項１乃至３のうちいずれか一項に記載の保冷装置用照明器具。
【請求項８】
前記発光ダイオードの凹部を縦溝多面錐状に形成した請求項１乃至３のうちいずれか一項に記載の保冷装置用照明器具。
【請求項９】
前記保冷装置用照明器具は、０．１Ｗ以下の発光ダイオードを縦列状態に複数連結した請求項１乃至８のうちいずれか一項に記載の保冷装置用照明器具。
【請求項１０】
前記保冷装置用照明器具に反射板を具備した請求項１乃至９のうちいずれか一項に記載の保冷装置用照明器具。
【考案の詳細な説明】
【技術分野】
【０００１】  本考案は、照明器具自体から生じる発熱を少なくすることで保冷効率を高め、さらに、消費電力や材料コストを極端に軽減することができる保冷装置用照明器具に関する。
【背景技術】
【０００２】  冷蔵庫、冷凍室、冷凍車、冷凍ショーケース等の保冷装置には、冷凍商品の内容を視認するための照明器具が具備されている。通常の保冷装置には、長尺状の蛍光灯が単一、もしくは複数配列された状態で設置されている。【０００３】  また従来、上記に関連する技術として、結露が生じにくく、かつ、ソケット内への水滴の進入を確実に防止出来る冷凍ショーケースにおける照明装置がある（例えば、特許文献１参照）。
上掲特許文献１の冷凍ショーケースにおける照明装置は、蛍光灯の周囲を所定の間隔を介して囲繞する筒状の蛍光灯カバーを有する冷凍ショーケースにおける照明装置であって、
前記蛍光灯の端部のソケットを覆うように装着されるソケットカバーに、前記蛍光灯の外周面に当接する環状の当接面が形成されるとともに、前記当接面の裏側である外周に凸部が環状に形成され、前記蛍光灯カバーが、前記凸部に嵌合状態で装着出来るようになっていることを特徴とする。
【特許文献１】特開２００１−８８０４号公報
【０００４】  また、従来行われてきた蛍光灯による照明に容易に代替する、発光ダイオードの発光装置がある（例えば、特許文献２参照）。
上掲特許文献２の蛍光灯器具対応型発光ダイオード発光装置は、蛍光灯の器具に直接接続可能な形状を有し、接続したときにその蛍光灯器具より供給される電源によって、１個または複数の発光ダイオードを点灯することを特徴とする。
【特許文献２】登録実用第３０８３３４３号公報
【考案の開示】
【考案が解決しようとする課題】
【０００５】  しかしながら、上掲特許文献１の冷凍ショーケースにおける照明装置は、蛍光灯から生じる発熱により冷凍ショーケース内の温度が上昇するという問題があった。そのため、常に冷却温度を高く設定しなければならず、多くの消費電力や稼働コストを必要とした。また、定期的に蛍光灯を交換しなければならず、手間や材料コストが嵩むという欠点もあった。【０００６】  また、上掲特許文献２の蛍光灯器具対応型発光ダイオード発光装置は、発光ダイオードから照射される光が一方向に直進するため、光の照射方向が限定されるという問題があった。そのことにより、蛍光灯から均一の照射が得られず、利便性が低下し、使用範囲も限定された。【０００７】  そこで本考案は上記の点に鑑み、照明器具自体から生じる発熱を少なくすることで、冷凍庫内の温度を上昇させることなく効率よく保冷することができ、さらに、消費電力や材料コストを極端に軽減することができる保冷装置用照明器具を提供することにある。
【課題を解決するための手段】
【０００８】  上記問題を解決するために本考案の保冷装置用照明器具は、冷蔵庫、冷凍庫、冷凍車、冷凍ショーケース等に具備される保冷装置用照明器具であって、該保冷装置用照明器具は、先端に凹部を形成した発光ダイオードを、透光管内に縦列状態に複数連結したことを特徴とする。【０００９】  また、前記透光管の周囲に外管体を配設させた。【００１０】  また、前記発光ダイオードは、前記透光管内の中央部分で凹部が対向する状態に配設されている。【００１１】  また、前記発光ダイオードの凹部をＶ字状に形成した。【００１２】  また、前記発光ダイオードの凹部を円錐状に形成した。【００１３】  また、前記発光ダイオードの凹部を角錐状に形成した。【００１４】  また、前記発光ダイオードの凹部を指数関数面状に形成した。【００１５】  また、前記発光ダイオードの凹部を縦溝多面錐状に形成した。【００１６】  さらに、本考案の保冷装置用照明器具は、０．１Ｗ以下の発光ダイオードを縦列状態に複数連結した。【００１７】  またさらに、前記保冷装置用照明器具に反射板を具備した。
【考案の効果】
【００１８】  先端に凹部を形成した発光ダイオードを、透光管内に縦列状態に複数連結させたことで、透光管の側面方向に効率よく照射させることができ、保冷装置用照明器具を低コストで高輝度に発光させることができる。【００１９】  また、光源として０．１Ｗ以下の発光ダイオードを使用することにより、照明器具自体から生じる発熱を少なくすることができ、冷凍庫内の温度を上昇させることがない。また、照明器具の交換を低減することで、手間や材料コストを極端に軽減することができる。
【考案を実施するための最良の形態】
【００２０】  以下、本考案における保冷装置用照明器具の実施の形態を図面に基づき説明する。
図１は保冷装置用照明器具の全体図、図２は発光ダイオードの斜視図、図３は前記発光ダイオードの発光状態を示す断面図、図４は発光ダイオードの配列状態、図５は他の好適例を示す発光ダイオードの配列状態、図６は凹部を円錐状に形成した発光ダイオード、図７は凹部を角錐状に形成した発光ダイオード、図８は凹部を縦溝を有する多面錐状に形成した発光ダイオード、図９は冷凍ショーケースの側面図、図１０は冷凍庫の断面図をそれぞれ表す。【００２１】  本考案の保冷装置用照明器具は、冷蔵庫、冷凍庫、冷凍車、冷凍ショーケース等の保冷装置に具備されるもので、照明器具自体から発せられる発熱を少なくすることで、冷凍庫内の温度を上昇させることを防ぎ、消費エネルギーを極力軽減することができることを特徴とする。【００２２】  図１に示す保冷装置用照明器具１は、先端に凹部１１を形成した発光ダイオード１０を、透光管２内に縦列状態に複数連結したことを特徴とする。【００２３】  図２に示す発光ダイオード１０は、レンズ部１２と、レンズ部１２内に配設される発光部１３と、発光部１３へ電力を供給する一対のリード１４とで構成されている。また特に、発光ダイオード１０のレンズ部１２の先端には凹部１１が形成されている。【００２４】  また前記凹部１１を、Ｖ字状に形成することが望ましい。前記凹部１１をＶ字状に形成することで、図３に示すように、発光部１３から発光された光は、一部が直進すると共に、他の光は凹部１１にて側方に屈折される。【００２５】  透光管２は、透明樹脂もしくはガラス等の光透過性を有する素材からなり、前記発光ダイオード１０を縦列状態に複数収容することができる径を呈する細管状に形成されている。また、前記透光管２の内壁に蛍光剤を塗布してもよい。【００２６】  また、前記透光管２の周囲に外管体３を配設させてもよい。外管体３はガラス、樹脂等で筒状に形成されている。また前記外管体３は図中、直状に形成されているがこれに限らず、環状、Ｕ字状等のさまざまな形状に形成してもよい。【００２７】  また他の好適例として、前記発光ダイオード１０は、前記透光管２の中央部分で凹部１１が対向する状態に配設することが望ましい。発光ダイオード１０の凹部１１を透光管２の中央部分で対向するように配設することで、発光ダイオード１０から直進する光は、透光管２の中央部分で高輝度に照射されると共に、他の部分では、凹部１１により透光管２の側方に照射される。【００２８】  また、前記発光ダイオード１０は通常、図４に示すように、凹部１１が同位置になるように配設されているが、図５に示すように、凹部１１の配置角度が異なる状態（水平方向に９０°相違）で配列させてもよい。そのことにより、発光部１３から発光された光は、凹部１１にて側方に、かつ異方向側方に照射することができ、透光管２からの光を均一に照射させることが可能になる。【００２９】  さらに、本考案の保冷装置用照明器具１は、０．１Ｗ以下の発光ダイオード１０を縦列状態に複数連結することが望ましい。発光ダイオード１０を０．１Ｗ以下の電力としたことで、消費コストを極端に下げると共に、ほぼ無発熱の照明器具を実現することができる。【００３０】  次に、発光ダイオード１０の凹部１１にお��る他の形状を図６乃至図８に基づいて説明する。
図６は、円錐状に形成した凹部１５を示す。発光ダイオード１０の凹部を円錐状としたことで、発光部１３から照射される光は、均一状態で前面および側面に照射することができる。【００３１】  図７は角錐状に形成した凹部１６を示す。また前記凹部１６は、図中、六角錐に形成されているが、これに限らず、三角錐、四角錐、五角錐等、さまざまな多角錐に形成することができる。前記角錐状に形成することで、発光部１３からの光を任意の角度に、広角、且つ広範囲に外部に照射することができる。【００３２】  図８は多面錐状に形成した凹部１７を示す。前記凹部１７は、星型の溝を設けることにより形成される。前記凹部１７を多面錐状に形成することで、発光体１３からの光を円周多方向に広角に、且つ広範囲に外部へ照射させることができる。【００３３】  また他の好適例として、前記保冷装置用照明器具１に反射板４を具備した。かかる反射板４は反射効率の高いアルミ等で形成されている。前記保冷装置用照明器具１に反射板４を具備したことで、透光管２から照射される光を、より高輝度に、かつ効率よく外部へ照射させることができる。【００３４】  次に、本考案の保冷装置用照明器具１の使用状態を図９および図１０に基づいて説明する。
図９は、冷凍ショーケース２０に保冷装置用照明器具１を装着した状態を示す。冷凍ショーケース２０には冷凍装置２１が具備されており、ケース内の冷凍商品を一定温度で保冷している。冷凍ショーケース２０に本考案の保冷装置用照明器具１を装着したことで、照明器具自体から生じる発熱は殆どなく、エネルギーのロスが少なく、消費エネルギーを極力軽減することができる。なお、透光管２の内壁に塗布する蛍光物質の色彩を変更することで、冷凍食品および食品の外観を向上させることも可能になる。【００３５】  図１０は、冷凍庫２２に本考案の保冷装置用照明器具１を装着した状態を示す。通常、冷凍庫２２は、冷凍装置２３にて非常に低い状態で冷凍食品を保管・管理する場所である。前記冷凍庫２２に保冷装置用照明器具１を装着することで、冷凍庫２２の温度を上昇させることなく、保冷状態を効率よく維持することができる。また、保冷装置用照明器具１から照射させる高輝度の光により、冷凍庫２２内において明るく好適な条件で作業することができる。【００３６】  なお、本考案の保冷装置用照明器具の利用範囲は、冷蔵庫、冷凍室、冷凍車、冷凍ショーケース等の保冷装置に限定されるものではなく、一般のショーケース、室内外の照明灯、看板灯、常夜灯等、さまざまな分野で広範囲に使用できることは言うまでもない。
【図面の簡単な説明】
【００３７】
【図１】本考案の保冷装置用照明器具の全体図である。
【図２】発光ダイオードの斜視図である。
【図３】前記発光ダイオードの発光状態を示す断面図である。
【図４】発光ダイオードの配列状態を示す。
【図５】他の好適例を示す発光ダイオードの配列状態を示す。
【図６】凹部を円錐状に形成した発光ダイオード
【図７】凹部を角錘状に形成した発光ダイオード
【図８】凹部を縦溝を有する多面錘状に形成した発光ダイオード
【図９】冷凍ショーケースの側面図を示す。
【図１０】冷凍庫の断面図を示す。
【符号の説明】
【００３８】１    保冷装置用照明器具
２    透光管
３    外管体
４    反射板
１０  発光ダイオード
１１  凹部
１２  レンズ部
１３  発光部
１４  リード
１５  円錐状凹部
１６  角錐状凹部
１７  多面錐状凹部
２０  冷凍ショーケース
２１  冷凍装置
２２  冷凍庫
【図１】
0003147129.tif 000003
【図２】
0003147129.tif 000004
【図３】
0003147129.tif 000005
【図４】
0003147129.tif 000006
【図５】
0003147129.tif 000007
【図６】
0003147129.tif 000008
【図７】
0003147129.tif 000009
【図８】
0003147129.tif 000010
【図９】
0003147129.tif 000011
【図１０】
0003147129.tif 000012